(57)【要約】【課題】光伝送装置の立ち上げを速やかに行えること。【解決手段】信号光を受信するＷＳＳ１０２と、受信した信号光のパワーを減衰させるＷＳＳ制御部１０５と、減衰させた信号光を光増幅するポストアンプ１０７と、を有し、ＷＳＳ制御部１０５は、ポストアンプ１０７から発生する自然放出光の光レベルの情報に基づく減衰量で、新規に設定される信号光のパワーを減衰させる。ＷＳＳ制御部１０５は、光レベルの情報として、隣接する下流の光伝送装置が得た波長別の自然放出光の光レベルを示す偏差情報を受信し、偏差情報と相関がある信号光について、開通するチャンネルの信号光の減衰量を設定し、開通後に減衰量を調整し所定の光レベルまで増加させる制御を行う。【選択図】図１
2018164198.tif 000002
【特許請求の範囲】
【請求項１】
信号光を受信する受信部と、
前記受信した信号光のパワーを減衰させる減衰部と、
前記減衰させた信号光を光増幅する光増幅器と、を有し、
前記減衰部は、前記光増幅器から発生する自然放出光の光レベルの情報に基づく減衰量で、新規に設定される信号光のパワーを減衰させることを特徴とする光伝送装置。
【請求項２】
前記減衰部は、
前記光レベルの情報として、隣接する下流の前記光伝送装置が得た波長別の前記自然放出光の光レベルを示す偏差情報を受信し、当該偏差情報と相関がある前記信号光について、開通するチャンネルの前記信号光の減衰量を設定し、開通後に前記減衰量を調整し所定の光レベルまで増加させる制御を行うことを特徴とする請求項１に記載の光伝送装置。
【請求項３】
前記減衰部は、
前記自然放出光の前記偏差情報として、未開通のチャンネルの前記自然放出光の平均に対する前記光レベルの偏差の値を受信することを特徴とする請求項２に記載の光伝送装置。
【請求項４】
前記減衰部は、多入力一出力の波長選択スイッチの前記信号光を減衰させることを特徴とする請求項１〜３のいずれか一つに記載の光伝送装置。
【請求項５】
前記減衰部は、各チャネル毎に設けた可変光減衰器の前記信号光を減衰させることを特徴とする請求項１〜３のいずれか一つに記載の光伝送装置。
【請求項６】
前記減衰部は、入力される前記信号光の光強度を監視する入力光強度監視部を備え、
前記信号光の光強度が所定の強度を超えている時に、前記信号光の光強度から所定の光強度を減算した強度差を、前記減衰量に加えることを特徴とする請求項１〜５のいずれか一つに記載の光伝送装置。
【請求項７】
前記減衰部は、
前記入力光強度監視部が監視した前記信号光の光強度が所定の強度に満たない場合、前記光増幅器に出力する経路を遮断し、
前記信号光の光強度が所定の強度を満たした場合に、前記開通制御を実施することを特徴とする請求項６に記載の光伝送装置。
【請求項８】
前記減衰部は、
未開通のチャンネルの信号光の透過を遮断した状態で前記自然放出光の光レベルの情報に基づき、前記信号光の減衰量を設定することを特徴とする請求項１〜７のいずれか一つに記載の光伝送装置。
【請求項９】
前記減衰部は、
自装置の前記光増幅器と、隣接する下流の前記光伝送装置との間に設けられた光増幅器の増幅制御情報と、前記区間での波長に対する自然放出光の強度分布とに基づく前記信号光の減衰量で、新規に設定される信号光のパワーを減衰させることを特徴とする請求項１〜８のいずれか一つに記載の光伝送装置。
【請求項１０】
信号光を受信し、光増幅する光増幅器と、
隣接する上流の光伝送装置が有する光増幅器、および上流の前記光伝送装置との区間に設けられる光増幅器が発生する自然放出光の光レベルを検出する光モニタと、
前記光モニタが検出した前記自然放出光の光レベルの情報を上流の光伝送装置に送信する制御部と、
を備えたことを特徴とする光伝送装置。
【請求項１１】
前記制御部は、
前記光レベルの情報として、波長別の前記自然放出光の光レベルを示す偏差情報を送信することを特徴とする請求項１０に記載の光伝送装置。
【請求項１２】
前記制御部は、
前記自然放出光の前記偏差情報として、未開通のチャンネルの前記自然放出光の平均に対する光レベルの偏差の値を算出することを特徴とする請求項１１に記載の光伝送装置。
【請求項１３】
前記自然放出光の波長に対する強度分布を格納する記憶部を備え、
前記制御部は、開通前の前波長における自然放出光の強度を前記記憶部に格納し、開通時に読み出し、前記偏差情報を求めることを特徴とする請求項１０〜１２のいずれか一つに記載の光伝送装置。
【請求項１４】
前記区間における前記光伝送路の断線を検出する検出部を備え、
前記制御部は、
前記光伝送路の断線後の復旧時に、光信号が多重化されていない波長の前記自然放出光の強度分布を前記記憶部に更新記憶させることを特徴とする請求項１３に記載の光伝送装置。
【請求項１５】
前記区間に設けられるいずれかの光増幅器の増幅制御の遮断を検出する検出部を備え、
前記制御部は、
遮断された前記光増幅器の復旧時に、光信号が多重化されていない波長の前記自然放出光の強度分布を前記記憶部に更新記憶させることを特徴とする請求項１２または１３に記載の光伝送装置。
【請求項１６】
受信した信号光のパワーを減衰部で減衰させ、光増幅部で光増幅して送信し、
前記光増幅器から発生する自然放出光の光レベルの情報に基づく減衰量で、新規に設定される信号光のパワーを前記減衰部により減衰させる、
ことを特徴とする光伝送方法。
【発明の詳細な説明】
【技術分野】
【０００１】
本発明は、光通信システムに用いられる光伝送装置および光伝送方法に関する。
【背景技術】
【０００２】
光通信システムでは、ＷＤＭ機能により、波長の異なる複数の信号光を１本の光ファイバに波長多重して伝送光として伝送する。また、光分岐挿入（ＯＡＤＭ）ノードが信号光を挿入（Ａｄｄ）、分岐（Ｄｒｏｐ）および透過（Ｔｈｒｕ）を行う。ＯＡＤＭノード内部にＯＡＤＭ装置を複数設けることにより、通信容量の需要に柔軟に対応できるネットワークを構築できる。ＯＡＤＭ装置は、波長毎に方路を選択する波長選択スイッチ（ＷＳＳ）と、信号光を光増幅する光増幅器を含む。複数のＷＳＳ間をクロスコネクトで接続することで信号光の方路を増大できる。
【０００３】
ＷＤＭはＷａｖｅｌｅｎｇｔｈ  Ｄｉｖｉｓｉｏｎ  Ｍｕｌｔｉｐｌｅｘｉｎｇ、ＯＡＤＭはＯｐｔｉｃａｌ  Ａｄｄ  Ｄｒｏｐ  Ｍｕｌｔｉｐｌｅｘｅｒ、ＯＡＤＭはＯｐｔｉｃａｌ  Ａｄｄ  Ｄｒｏｐ  Ｍｕｌｔｉｐｌｅｘｅｒ、ＷＳＳはＷａｖｅｌｅｎｇｔｈ  Ｄｉｖｉｓｉｏｎ  Ｍｕｌｔｉｐｌｅｘｉｎｇの略である。
【０００４】
複数のＯＡＤＭノードを有するＷＤＭネットワークにおいて、各ＯＡＤＭノード区間でクロスコネクトを行い、逐次開通を行う場合、上流のＯＡＤＭ装置が送信側のＷＳＳの開通制御の完了を下流のＯＡＤＭ装置にＯＳＣ等で通知する。ＯＳＣは光監視チャネルでありＯｐｔｉｃａｌ  Ｓｕｐｅｒｖｉｓｏｒｙ  Ｃｈａｎｎｅｌの略である。下流のＯＡＤＭノードは、上流のＯＡＤＭ区間のチャンネル開通が未完了であれば、下流のＯＡＤＭ区間の開通するチャンネルのアッテネーション等の開通制御を停止する。チャンネル開通完了であれば、下流のＯＡＤＭ区間のチャンネル開通制御を実施する。以下の下流の各ＯＡＤＭ装置も上流のＯＡＤＭ区間の開通後、順次開通制御を実施する。
【０００５】
また、ＯＡＤＭ装置間に光増幅器を備えた中継型光増幅（ＩＬＡ）装置が設けられる場合、ＩＬＡ（Ｉｎ−Ｌｉｎｅ  Ａｍｐｌｉｆｉｅｒ）装置における光増幅器の増幅特性は波長毎に異なる。また、ＷＤＭ信号を伝送する伝送光ファイバについても、光パワーの損失特性が波長毎に異なる。このため、上流のＯＡＤＭ装置では開通するチャンネルのＷＳＳのアッテネーションを徐々に小さくし、緩やかに光レベルを所定のレベルに制御し、下流の受信光レベルが過大となって受信装置にダメージを与える等の影響を防いでいる。
【０００６】
従来、自然放出光を用いて伝搬経路中の光コネクタの状態やクロスコネクト後の光可変減衰器のアッテネーション量を制御する技術が開示されている（例えば、下記特許文献１参照）。また、上流のＯＡＤＭノードで２つの監視光信号をＷＤＭ信号に合波し、ＷＤＭ信号を下流のＯＡＤＭノードで分波する。そして、第１の監視光信号で伝送光ファイバの疎通状態を判断し、第２の監視光信号で光伝送システムの監視制御を行う技術が開示されている（例えば、下記特許文献２参照。）。
【先行技術文献】
【特許文献】
【０００７】
【特許文献１】特開２００６−３３３１３６号公報
【特許文献２】特開２００５−７２７６９号公報
【発明の概要】
【発明が解決しようとする課題】
【０００８】
しかしながら、ＯＡＤＭ区間の開通制御を全てのＯＡＤＭ区間で同時並行して実施したとする。この場合、下流にあるＯＡＤＭ装置ほど上流のアッテネーション制御が累積し、送信側のＷＳＳ出力レベルの変化量が大きくなり、目標の光レベルに速やかに収束せず、光レベルの変動（サージ）が発生する。その結果、下流の受信光レベルが過大となり、受信装置にダメージを与える等の影響を及ぼす。
【０００９】
また、コスト低減のために、ネットワーク構築の柔軟性が高く方路の選択自由度が多いＯＡＤＭ装置では、複数のＷＳＳのチャンネル毎の光レベルを一つのＯＣＭ（Ｏｐｔｉｃａｌ  Ｃｈａｎｎｅｌ  Ｍｏｎｉｔｏｒ）でモニタするための切り替え制御を行う。この場合、ＯＡＤＭ装置が上述した緩やかな開通手順を実施すると、チャンネル開通制御周期がＯＣＭの掃引時間に光スイッチ接続数を乗算した時間となり、長距離の伝送システムとなるほどＷＤＭ信号のチャンネルの開通完了までの時間が長くなった。
【００１０】
特許文献１，２の技術では、ＯＡＤＭ区間のＷＤＭ信号のチャンネル毎の増幅特性と伝送光ファイバでの光パワーの損失特性を得ることはできないため、仮に開通に用いると、下流の受信光レベルが過大となり受信装置にダメージを与える。また、受信装置にダメージを与える等の影響がないよう、緩やかに光レベルを所定のレベルに制御すると上述のように開通完了までの時間が長くなる問題が生じる。
【００１１】
一つの側面では、本発明は、光伝送装置の立ち上げを速やかに行えることを目的とする。
【課題を解決するための手段】
【００１２】
一つの案では、光伝送装置は、信号光を受信する受信部と、前記受信した信号光のパワーを減衰させる減衰部と、前記減衰させた信号光を光増幅する光増幅器と、を有し、前記減衰部は、前記光増幅器から発生する自然放出光の光レベルの情報に基づく減衰量で、新規に設定される信号光のパワーを減衰させることを要件とする。
【発明の効果】
【００１３】
一つの実施形態によれば、光伝送装置の立ち上げを速やかに行えるという効果を有する。
【図面の簡単な説明】
【００１４】
【図１】図１は、実施の形態１の光伝送装置を含む光伝送システムの構成例を示す図である。
【図２】図２は、実施の形態１の光伝送装置のハードウェア構成例を示す図である。
【図３】図３は、実施の形態１の光伝送システムにおける各部の伝送光の光レベル偏差を示す図表である。
【図４】図４は、実施の形態１の光伝送システムにおける各部のＡＳＥ光の光レベル偏差を示す図表である。
【図５】図５は、実施の形態１の光伝送システムにおける開通制御の処理例を示すフローチャートである。
【図６】図６は、実施の形態１の光伝送システムが適用されるＷＤＭ光通信ネットワークの一例を示す図である。
【図７】図７は、実施の形態１にかかるＯＡＤＭ装置の構成例を示す図である。
【図８】図８は、既存の光伝送システムによる開通制御の問題を説明する図である。（その１）
【図９】図９は、既存の光伝送システムによる開通制御の問題を説明する図である。（その２）
【図１０】図１０は、既存の光伝送システムによる開通制御の問題を説明する図である。
【図１１】図１１は、実施の形態１の光伝送システムによる開通制御の処理を説明する図である。
【図１２】図１２は、実施の形態１の光伝送システムによる開通制御を説明する図である。
【図１３】図１３は、実施の形態２の光伝送装置を含む光伝送システムの構成例を示す図である。
【図１４】図１４は、実施の形態３の光伝送装置を含む光伝送システムの構成例を示す図である。
【図１５】図１５は、実施の形態４の光伝送装置を含む光伝送システムの構成例を示す図である。
【図１６】図１６は、実施の形態５の光伝送装置を含む光伝送システムの構成例を示す図である。
【図１７】図１７は、実施の形態６の光伝送装置の利得別の光レベル偏差に対応する処理を説明する図表である。
【図１８】図１８は、実施の形態６の光伝送装置の利得別の光レベル偏差に対応した処理による伝送光の光レベルを示す図表である。
【発明を実施するための形態】
【００１５】
（実施の形態１）
図１は、実施の形態１の光伝送装置を含む光伝送システムの構成例を示す図である。図示の例では、ネットワーク上に隣接配置される光伝送装置の例として、２つのＯＡＤＭ装置１０１（１０１ａ，１０１ｂ）の構成例を記載してある。各ＯＡＤＭ装置１０１は、それぞれ波長多重された光伝送路（伝送光ファイバ１，２）１１０に接続され、ＷＤＭ信号の光伝送路１１０に対し、信号光の挿入または分岐を行う。ＯＡＤＭ装置１（１０１ａ）とＯＡＤＭ装置２（１０１ｂ）との間のＯＡＤＭ区間Ａに関する伝送光（チャンネル）の開通について以下に説明する。
【００１６】
図１の例では、ＷＤＭ信号を送信する上流側のＯＡＤＭ装置１（１０１ａ）には、各構成部に符号１を付し、下流側のＯＡＤＭ装置２（１０１ｂ）側には、各構成部に符号２を付してある。また、ＯＡＤＭ装置１（１０１ａ）はＯＡＤＭ装置２（１０１ｂ）にＷＤＭ信号を送信し、ＯＡＤＭ装置２（１０１ｂ）が送信するＯＳＣ信号を受信する例を記載してある。各ＯＡＤＭ装置１０１（１０１ａ，１０１ｂ）は、分岐挿入機能部と増幅機能部を備える。
【００１７】
ＯＡＤＭ装置１０１は、分岐挿入機能部として、多入力一出力（Ｎ：１）の波長選択部１０２と、光チャンネルモニタ（ＯＣＭ）１０３、光スプリッタ等の光分岐部１０４，１０９、ＷＳＳ制御部１０５を含む。
【００１８】
図１の構成例では、波長選択部１０２に波長選択スイッチ（ＷＳＳ）を用い、ＷＳＳ１０２はＷＳＳ制御部１０５が制御する。ＷＳＳ制御部１０５は、ＷＳＳ１０２が受信した信号光を各波長（各チャンネル）別に選択した方路に出力（送信）する。
【００１９】
実施の形態１のＷＳＳ制御部１０５は、新規に設定する（新規開通する）チャネルに該当するＷＳＳ１０２のポートに入力される信号光のパワーを減衰させて出力する減衰部の機能を含む。
【００２０】
また、ＯＡＤＭ装置１０１は、増幅機能部として、ＷＤＭ信号（伝送光）の送信側のポストアンプ１０７と、受信側のプリアンプ１０８を含む。以下の説明では、ポストアンプとプリアンプを光増幅器とも言う。
【００２１】
また、ＯＡＤＭ装置１（１０１ａ）は、ＯＳＣ信号受信部１１１、開通前制御量算出部１１２を含む。ＯＡＤＭ装置２（１０１ｂ）は、ＷＤＭ信号監視部１２１、ＯＳＣ信号送信部１２２を含む。
【００２２】
ＷＳＳ１０２は、ＷＤＭ信号を波長の異なるチャンネル毎にその方路を指定し、各チャンネルの光レベルのアッテネーション量を制御して適切な光レベルを出力する。ＯＣＭ１０３は、ＷＳＳ１０２が出力するチャンネル毎の光レベルを監視する。ＷＳＳ制御部１０５は、ＷＳＳ１０２のアッテネーション量を方路およびチャンネル毎に制御する。ＷＳＳ１０２は、例えば、入力ポートと出力ポートとの間をマイクロミラーの角度変更で光路の切り替えを行い、ＷＳＳ制御部１０５は、出力ポートに対する光軸に所定のずれ量を生じさせることで光結合状態を変更し、所定のアッテネーション量を得る。
【００２３】
ポストアンプ１０７は、分岐挿入機能にて光伝送路１１０に合波出力する送信のＷＤＭ信号の光レベルを一括増幅する後置光増幅器である。プリアンプ１０８は、光伝送路１１０により減衰した受信のＷＤＭ信号の光レベルを一括増幅する前置光増幅器である。図１には不図示であるが、さらに、ポストアンプ１０７とプリアンプ１０８のそれぞれについて、ＷＤＭ信号を所定の出力に制御するポストアンプ制御部とプリアンプ制御部とを備えている。
【００２４】
ＯＡＤＭ装置２（１０１ｂ）側の構成を説明すると、ＷＤＭ信号監視部１２１は、ＯＣＭ２（１０３）で監視されたチャンネル毎の光レベルに対し、対向するＯＡＤＭ装置１（１０１ａ）から送信されたＷＤＭ信号の光レベルを監視する。ＷＤＭ信号監視部１２１は、ＡＳＥ光レベル監視部１２１ａを含む。ＡＳＥ光レベル監視部１２１ａは、対向するＯＡＤＭ装置１（１０１ａ）と自ＯＡＤＭ装置２（１０１ｂ）の増幅制御により発生する増幅自然放出光（ＡＳＥ光）について、波長多重信号が入っていない波長のＡＳＥ光レベルを監視する。ＡＳＥは自然放出光であり、Ａｍｐｌｉｆｉｅｄ  Ｓｐｏｎｔａｎｅｏｕｓ  Ｅｍｉｓｓｉｏｎの略である。
【００２５】
ＷＤＭ信号監視部１２１は、チャンネル毎のＷＤＭの伝送光のレベル偏差情報を算出し、ＡＳＥ光レベル監視部１２１ａは、チャンネル毎のＡＳＥ光のレベル偏差情報を、それぞれ算出する。
【００２６】
ＯＳＣ信号送信部１２２は、ネットワークの監視信号であるＯＳＣ信号（ＯＳＣ信号２）を対向するＯＡＤＭ装置１（１０１ａ）に向かって光伝送路１１０（伝送光ファイバ２）に出力する。
【００２７】
ＯＡＤＭ装置１（１０１ａ）側の構成を説明すると、ＯＳＣ信号受信部１１１は、対向するＯＡＤＭ装置２（１０１ｂ）から送信されたＯＳＣ信号を受信する。このＯＳＣ信号には、下流のＯＡＤＭ装置２（１０１ｂ）で算出されたチャンネル毎のＷＤＭの伝送光レベル偏差情報と、ＡＳＥ光レベル偏差情報が含まれる。
【００２８】
開通前制御量算出部１１２は、光伝送路１１０の開通前の制御量を算出する。この開通前制御量算出部１１２は、対向するＯＡＤＭ装置２（１０１ｂ）から受信したＡＳＥ光レベル偏差情報を用いてＷＳＳ１０２のアッテネーション量を算出し、ＷＳＳ制御部１０５に出力する。
【００２９】
図１の構成例では、ＷＤＭ信号が伝送路の一方（伝送光ファイバ１）でＯＡＤＭ装置１（１０１ａ）から送信される場合の構成例を示した。これに限らず、ＷＤＭ信号が伝送路の他方（伝送光ファイバ２）でＯＡＤＭ装置２（１０１ｂ）からＯＡＤＭ装置１（１０１ａ）に送信される構成にも同様に適用することができる。この場合、ＯＡＤＭ装置１（１０１ａ）側では、図１のＯＡＤＭ装置２（１０１ｂ）に記載のＷＤＭ信号監視部１２１と、ＯＳＣ信号送信部１２２の構成を追加し、光伝送路１１０（伝送光ファイバ１）を介してＯＳＣ信号をＯＡＤＭ装置２（１０１ｂ）に送信する。また、ＯＡＤＭ装置２（１０１ｂ）側では、図１のＯＡＤＭ装置１（１０１ａ）に記載のＯＳＣ信号受信部１１１と、開通前制御量算出部１１２の構成を追加し、光伝送路１１０（伝送光ファイバ１）を介してＯＳＣ信号を受信する。
【００３０】
ＯＡＤＭ装置１（１０１ａ）からＯＡＤＭ装置２（１０１ｂ）に至るＷＤＭ信号を開通する場合、開通前制御量算出部１１２は算出したアッテネーション量をＷＳＳ制御部１０５に出力する。ＷＳＳ制御部１０５は、開通前制御量算出部１１２から出力されたアッテネーション量になるようＷＳＳ１（１０２）を制御する。
【００３１】
図２は、実施の形態１の光伝送装置のハードウェア構成例を示す図である。図１に示した光伝送装置（ＯＡＤＭ装置１，２）１０１のデータ処理は、図２に示した制御部としてのＣＰＵ（Ｃｅｎｔｒａｌ  Ｐｒｏｃｅｓｓｉｎｇ  Ｕｎｉｔ）２０１がメモリ２０２に格納されたプログラムを読み出し実行することにより実現できる。その際、ＣＰＵ２０１は、メモリ２０２を作業領域に使用する。メモリは、ＲＯＭ，ＲＡＭ，フラッシュＲＯＭ等を用いることができる。また、ＨＤＤ等の拡張メモリ２０３をデータ格納領域等に用いることもできる。２０４は、バスである。
【００３２】
図１に示した光伝送装置１０１（ＯＡＤＭ装置１（１０１ａ））に設けられるＣＰＵ２０１は、光伝送装置１０１の各部を統括制御してＷＤＭ信号の信号処理を行うとともに、開通前のアッテネーション量の制御を行う。すなわち、ＣＰＵ２０１は、図１のＷＳＳ制御部１０５、開通前制御量算出部１１２の機能にかかる処理を行う。
【００３３】
図１に示した光伝送装置１０１（ＯＡＤＭ装置２（１０１ｂ））に設けられるＣＰＵ２０１は、光伝送装置１０１の各部を統括制御してＷＤＭ信号の信号処理を行う。また、ＯＡＤＭ装置１（１０１ａ）で行う開通前のアッテネーション量の制御に必要な情報処理を行い、ＯＡＤＭ装置１（１０１ａ）に情報を通知する。すなわち、ＣＰＵ２０１は、図１のＷＤＭ信号監視部１２１の機能にかかる処理を行う。
【００３４】
図２に示す通信部２０５は、図１に記載のＷＤＭ信号の送受信にかかる各機能であるＷＳＳ１０２、光分岐部１０４，１０９、ポストアンプ１０７、プリアンプ１０８を含む。
【００３５】
（ＷＤＭ信号の波長に対する伝送光レベル偏差について）
ＯＡＤＭ装置１（１０１ａ）からＯＡＤＭ装置２（１０１ｂ）への伝送経路上には、伝送光ファイバ１と、ＯＡＤＭ装置１（１０１ａ）のポストアンプ１（１０７）と、ＯＡＤＭ装置２（１０１ｂ）のプリアンプ２（１０８）が設けられている。これらのそれぞれをＷＤＭ信号が透過することにより、ＷＤＭ信号には波長に対する伝送光レベル偏差が発生する。
【００３６】
図３は、実施の形態１の光伝送システムにおける各部の伝送光の光レベル偏差を示す図表である。図３（ａ）〜（ｄ）の各図の横軸は波長である。図３（ａ）は、ＯＡＤＭ装置１（１０１ａ）のポストアンプ１（１０７）のＷＤＭ信号の光レベルＡ（縦軸）である。図３（ｂ）は、ＷＤＭ信号を伝送する伝送光ファイバ１（１１０）の光損失特性Ｂ（縦軸）である。図３（ｃ）は、ＯＡＤＭ装置２（１０１ｂ）のプリアンプ２（１０８）が受信するＷＤＭ信号の光レベルＣ（縦軸）である。これらの図に示すように、ＷＤＭ信号が透過する各光増幅器１０７，１０８と、伝送光ファイバ１１０では波長に対する伝送光レベル偏差が生じる。また、ＯＡＤＭ装置１（１０１ａ）から出力されたＷＤＭ信号のＯＡＤＭ装置２（１０１ｂ）における波長に対する伝送光レベル偏差が生じる。
【００３７】
図３（ｄ）は、ＯＡＤＭ装置１（１０１ａ）からＯＡＤＭ装置２（１０１ｂ）に至るＷＤＭ信号の伝送光レベル偏差（縦軸）の波長特性Ｄである。この波長特性Ｄは、ＷＤＭ信号が透過する光増幅器１０７，１０８と、伝送光ファイバ１（１１０）のそれぞれの波長特性Ａ〜Ｃを合算した特性となる。
【００３８】
ところで、ＯＡＤＭ装置１（１０１ａ）に備えるポストアンプ１（１０７）と、ＯＡＤＭ装置２（１０１ｂ）に備えるプリアンプ２（１０８）は、ＷＤＭ信号の増幅制御に伴いＡＳＥ光を発生する。このＡＳＥ光の波長に対するレベル偏差は、光増幅器１０７，１０８でのＷＤＭ信号の波長に対する伝送光レベル偏差と強い相関を有する。
【００３９】
図４は、実施の形態１の光伝送システムにおける各部のＡＳＥ光の光レベル偏差を示す図表である。図４の（ａ）〜（ｃ）の各図の横軸は波長、縦軸は光レベルである。図４（ａ）は、ＯＡＤＭ装置１（１０１ａ）のポストアンプ１（１０７）のＡＳＥ光の光レベルａ（縦軸）である。図４（ｂ）は、ＯＡＤＭ装置２（１０１ｂ）のプリアンプ２（１０８）が受信するＡＳＥ信号の光レベルｂ（縦軸）である。
【００４０】
図４（ｃ）に示すように、ＯＡＤＭ装置１（１０１ａ）からＯＡＤＭ装置２（１０１ｂ）に至るＡＳＥ光の伝送光レベル偏差の波長特性ｃは、ＡＳＥ光が透過する光増幅器１０７，１０８と伝送光ファイバ１（１１０）のそれぞれの波長特性を合算した特性となる。ここで、伝送光ファイバ１（１１０）における伝送光ファイバの波長に対する光損失偏差は、ＷＤＭ信号とＡＳＥ光について、同じ光損失偏差である。
【００４１】
図３の（ａ）、（ｃ）、および（ｄ）に示すＷＤＭ信号の光レベルＡ、ＢおよびＤと、図４の（ａ）〜（ｃ）に示すＡＳＥ光の光レベルａ〜ｃについて、波長に光レベル偏差特性は類似していることがわかる。この、各光増幅器１０７，１０８におけるＷＤＭ信号とＡＳＥ光の波長に対する光レベル偏差特性は強い相関を有する特徴により、ＡＳＥ光の伝送光レベル偏差からＷＤＭ信号の伝送光レベル偏差を導くことができる。
【００４２】
ＯＡＤＭ装置１（１０１ａ）からＯＡＤＭ装置２（１０１ｂ）に到達するＡＳＥ光の伝送光レベル偏差と、ＷＤＭ信号の伝送光レベル偏差は、各光増幅器１０７，１０８、および伝送光ファイバ（１１０）の波長に対するレベル偏差の合算特性である。光増幅器１０７，１０８におけるＷＤＭ信号とＡＳＥ光レベルの波長に対するレベル偏差特性の相関を用いることにより、ＯＡＤＭ装置１（１０１ａ）からＯＡＤＭ装置２（１０１ｂ）に至るＡＳＥ光の伝送光レベル偏差からＷＤＭ信号の伝送光レベル偏差を導くことができる。
【００４３】
実施の形態１では、ＯＡＤＭ装置１（１０１ａ）からＯＡＤＭ装置２（１０１ｂ）に至る一つのＯＡＤＭ区間ＡのＷＤＭ信号の波長に対する伝送光レベル偏差を、ＷＤＭ信号の開通前に把握する。この伝送光レベル偏差が、ＷＤＭ信号の伝送光レベル偏差と相関していることを利用し、ＡＳＥ光の伝送光レベル偏差からＷＤＭ信号の伝送光レベル偏差を導く。そして、ＷＤＭ信号の未開通チャンネルの波長におけるＡＳＥ光レベルを測定して、ＡＳＥ光の波長に対する伝送光レベル偏差を検出することにより、チャンネルの開通前にＷＤＭ信号の波長に対する伝送光レベル偏差特性を求める。
【００４４】
ＡＳＥ光から導いたＷＤＭ信号の波長に対する伝送光レベル偏差を利用して、ＯＡＤＭ装置１（１０１ａ）のＷＳＳ１（１０２）のアッテネーション量、すなわちＷＳＳ１（１０２）の出力光レベルを制御する。これにより、ＷＤＭ信号のチャンネルの開通前に伝送光レベル偏差特性を把握でき、チャンネル毎にＯＡＤＭ装置１（１０１ａ）のＷＳＳ１（１０２）からポストアンプ１（１０７）に出力する光レベルを目標のアッテネーション量に速やかに制御できるようになる。
【００４５】
図５は、実施の形態１の光伝送システムにおける開通制御の処理例を示すフローチャートである。図１に示した光伝送システムのＯＡＤＭ装置１，２（１０１ａ，１０１ｂ）に設けられるＣＰＵ２０１が行う未開通チャンネルの開通制御の処理例を説明する。
【００４６】
はじめに、ＯＡＤＭ装置１（１０１ａ）のＣＰＵ２０１は、未開通のチャンネルについて、ＷＳＳ１（１０２）からポストアンプ１（１０７）への透過を遮断する（ステップＳ５０１）。例えば、ＷＳＳ制御部１０５は、ＷＳＳ１（１０２）に対して大きなアッテネーション量３０ｄＢを設定する。
【００４７】
次に、ＯＡＤＭ装置１（１０１ａ）は、ポストアンプ１（１０７）の増幅制御を実施し、ＯＡＤＭ装置２（１０１ｂ）は、ＯＡＤＭ装置２（１０１ｂ）のプリアンプ２（１０８）の増幅制御を実施する（ステップＳ５０２）。
【００４８】
次に、ＯＡＤＭ装置２（１０１ｂ）のＣＰＵ２０１は、ＯＣＭ２（１０３）に対し、ＯＡＤＭ装置２（１０１ｂ）の各ポートを逐次接続する切り替え制御を行う（ステップＳ５０３）。次に、ＯＡＤＭ装置２（１０１ｂ）のＣＰＵ２０１（ＡＳＥ光レベル監視部１２１ａ）は、プリアンプ２（１０８）とＯＣＭ２（１０３）の接続が一致した時に、ＯＡＤＭ装置２（１０１ｂ）における未開通チャンネル（チャンネルａ）のＡＳＥ光レベルを測定する（ステップＳ５０４）。これにより、光増幅器１０７，１０８の増幅制御に伴い発生したＡＳＥ光レベルが測定される。
【００４９】
そして、ＯＡＤＭ装置２（１０１ｂ）のＣＰＵ２０１（ＡＳＥ光レベル監視部１２１ａ）は、未開通チャンネルに対するＡＳＥ光レベル偏差情報を生成する（ステップＳ５０５）。そして、ＣＰＵ２０１（ＡＳＥ光レベル監視部１２１ａ）は、生成したＡＳＥ光レベル偏差情報をＯＳＣ信号により、伝送光ファイバ２（１１０）を介してＯＡＤＭ装置２（１０１ｂ）からＯＡＤＭ装置１（１０１ａ）に送信する（ステップＳ５０６）。
【００５０】
次に、ＯＡＤＭ装置１（１０１ａ）のＣＰＵ２０１（開通前制御量算出部１１２）は、ＯＡＤＭ装置２（１０１ｂ）から受信したＡＳＥ光レベル偏差情報に基づき、ＷＳＳ１（１０２）が出力する伝送光のアッテネーション量を算出する（ステップＳ５０７）。
【００５１】
次に、ＯＡＤＭ装置１（１０１ａ）のＣＰＵ２０１は、未開通チャンネルのうち所定のチャンネル（チャンネルａ）を開通させるかを判断する（ステップＳ５０８）。チャンネルａの開通時は（ステップＳ５０８：Ｙｅｓ）、ステップＳ５０９に移行し、他のチャンネルの開通時は（ステップＳ５０８：Ｎｏ）、ステップＳ５０３の処理の実行に戻る。
【００５２】
そして、ＣＰＵ２０１（ＷＳＳ制御部１０５）は、ＯＡＤＭ装置１（１０１ａ）のＷＳＳ１（１０２）からポストアンプ１（１０７）に出力するチャンネルａの伝送光をステップＳ５０７で算出したアッテネーション量に制御する（ステップＳ５０９）。
【００５３】
次に、ＯＡＤＭ装置１（１０１ａ）のＣＰＵ２０１は、ＯＣＭ１（１０３）の接続とＯＡＤＭ装置１内の各ポートを逐次接続する切り替えの制御を行う（ステップＳ５１０）。そして、ＣＰＵ２０１は、ＷＳＳ１（１０２）の出力とＯＣＭ１（１０３）の接続が一致した時に、開通対象のチャンネルａのＷＳＳ１（１０２）出力光レベルを監視する（ステップＳ５１１）。
【００５４】
次に、ＯＡＤＭ装置１（１０１ａ）のＣＰＵ２０１は、チャンネルａのＷＳＳ１（１０２）の出力レベルが目標の光レベルに到達しているかを判断する（ステップＳ５１２）。チャンネルａのＷＳＳ１（１０２）の出力レベルが目標の光レベルに到達していなければ（ステップＳ５１２：Ｎｏ）、ＣＰＵ２０１は、チャンネルａのＷＳＳ１（１０２）のアッテネーション量を保持して、ステップＳ５０９の処理に戻る。一方、チャンネルａのＷＳＳ１（１０２）の出力レベルが目標の光レベルに到達していれば（ステップＳ５１２：Ｙｅｓ）、以上の制御を終了する。
【００５５】
上記の図５を用いて説明したチャンネル開通の詳細を、図１の光伝送システムを用いて説明する。ＯＡＤＭ装置１（１０１ａ）からＯＡＤＭ装置２（１０１ｂ）に至るＡＳＥ光について、ＯＡＤＭ装置２（１０１ｂ）のＯＣＭ２（１０３）にて未開通のＷＤＭ信号のチャンネルｉの波長におけるＡＳＥ光レベルＰ＿ＡＳＥ（ｉ）を測定する（ステップＳ５０４）。ＯＡＤＭ装置２（１０１ｂ）のＣＰＵ２０１（ＡＳＥ光レベル監視部１２１ａ）は、ＡＳＥ光レベル偏差情報ΔＰ＿ＡＳＥ（ｉ）を下記式（１）により算出する（ステップＳ５０５）。この際、未開通のチャンネル数ｍと、ＡＳＥ光レベルの合計量Ｐ＿ＡＳＥ＿ＴＯＴＡＬと、その平均レベルＰ＿ＡＳＥ＿ＡＶＧを用いて算出する。
【００５６】
【数１】
2018164198.tif 000003
【００５７】
ＡＳＥ光レベル監視部１２１ａで算出された各チャンネルのＡＳＥ光レベル偏差情報ΔＰ＿ＡＳＥ（ｉ）は、ＯＡＤＭ装置２（１０１ｂ）のＯＳＣ信号送信部１２２から伝送光ファイバ２（１１０）を経てＯＡＤＭ装置１（１０１ａ）に送信される。この際、ＯＳＣ信号により、ＯＡＤＭ装置１（１０１ａ）のＯＳＣ信号受信部１１１に通知される（ステップＳ５０６）。ＯＡＤＭ装置１（１０１ａ）のＯＳＣ信号受信部１１１で受信したＡＳＥ光レベル偏差情報ΔＰ＿ＡＳＥ（ｉ）は、ＯＡＤＭ装置１（１０１ａ）のＣＰＵ２０１（開通前制御量算出部１１２）に出力される。
【００５８】
開通前制御量算出部１１２は、ＡＳＥ光レベル偏差情報ΔＰ＿ＡＳＥ（ｉ）に応じて、未開通チャンネルのＷＳＳ１（１０２）からポストアンプ１（１０７）に出力するアッテネーション量を算出する（ステップＳ５０７）。
【００５９】
ここで、開通前制御量算出部１１２によるアッテネーション量算出例を説明する。例えば、ＯＡＤＭ装置１（１０１ａ）からＯＡＤＭ装置２（１０１ｂ）に向かうＷＤＭ信号のうち、未開通のチャンネルｂのＷＳＳ１（１０２）の入力光レベルが−１０ｄＢｍであるとする。また、ＷＳＳ１（１０２）からポストアンプ１（１０７）に出力する光レベルが−２０ｄＢｍであるとする。このとき、ＣＰＵ２０１（ＷＳＳ制御部１０５）においてＷＳＳ１（１０２）からポストアンプ１（１０７）に出力するチャンネルｂのアッテネーション量の第１の算出値は、開通済のチャンネルａと同様に１０ｄＢとなる。
【００６０】
ＯＡＤＭ装置１（１０１ａ）からＯＡＤＭ装置２（１０１ｂ）に向かうＡＳＥ光のうち、ＯＡＤＭ装置２（１０１ｂ）で監視するチャンネルｂのＡＳＥ光レベル偏差情報ΔＰ＿ＡＳＥ（ｂ）は、ＯＳＣ信号によりＯＡＤＭ装置１（１０１ａ）に通知される。ＯＡＤＭ装置１（１０１ａ）の開通前制御量算出部１１２は、ＷＳＳ１（１０２）からポストアンプ１（１０７）に出力するチャンネルｂのアッテネーション量算出値ＡＴＴ（ｂ）を下記式（２）に基づき算出する。
【００６１】
ＡＴＴ（ｂ）＝１０ｄＢ＋ΔＰ＿ＡＳＥ（ｂ）×α（ｂ）  …（２）
【００６２】
α（ｂ）は、ＯＡＤＭ装置１（１０１ａ）のポストアンプ１（１０７）を制御するポストアンプ制御部（不図示）、およびＯＡＤＭ装置２（１０１ｂ）のプリアンプ２（１０８）を制御するプリアンプ制御部の制御情報に基づき定まる値である。この値α（ｂ）は、例えば、光増幅器１０７，１０８の増幅利得とチャンネルの波長に応じて定める。
【００６３】
例えば、ＯＡＤＭ装置２（１０１ｂ）で監視するチャンネルｂのＡＳＥ光レベルＰ＿ＡＳＥ（ｂ）がＰ＿ＡＳＥ＿ＡＶＧに比べ１ｄＢ大きい場合、ＡＳＥ光レベル偏差情報ΔＰ＿ＡＳＥ（ｂ）は＋１ｄＢとなる。プリアンプ２（１０８）およびポストアンプ１（１０７）の増幅利得により求まるα（ｂ）が１の場合、開通前制御量算出部１１２によるＷＳＳ１（１０２）からポストアンプ１（１０７）に出力するチャンネルｂのアッテネーション算出値は１１ｄＢとなる。
【００６４】
そして、開通前制御量算出部１１２は、開通前に事前に測定したＯＡＤＭ装置１（１０１ａ）からＯＡＤＭ装置２（１０１ｂ）に至るＡＳＥ光レベル偏差情報からチャンネルｂの開通前アッテネーション制御量＋１１ｄＢを算出し、アッテネーション制御に用いる。このＡＳＥ光の伝送光レベル偏差は、上述のように、ＯＡＤＭ装置１（１０１ａ）からＯＡＤＭ装置２（１０１ｂ）に至るＷＤＭ信号の伝送光レベル偏差特性と相関がある。このため、ＯＡＤＭ装置１（１０１ａ）では、開通前のチャンネルｂについて下流のＯＡＤＭ装置２（１０１ｂ）の受信光レベル、すなわち伝送光レベルが把握できることとなる。
【００６５】
ＣＰＵ２０１（開通前制御量算出部１１２）は、伝送光レベル偏差特性に応じた開通前のアッテネーション量算出値であるＷＳＳ１からポストアンプ１に出力するチャンネルｂのアッテネーション量１１ｄＢを算出する。そして、チャンネルｂの開通にあたり、ＣＰＵ２０１（ＷＳＳ制御部１０５）は上記のアッテネーション量に制御する。これにより、下流ＯＡＤＭ装置２（１０１ｂ）における受信光レベルが過大となることなく、伝送光レベル偏差特性を補正して速やかに開通できる（ステップＳ５０９）。
【００６６】
実施の形態１によれば、チャンネル毎の伝送光レベル偏差特性に基づいたアッテネーション量がＷＤＭ信号の開通前に算出され、ＷＤＭ信号の開通時に伝送光レベル偏差特性に応じた所定のアッテネーション量に速やかに制御できるようになる。
【００６７】
図６は、実施の形態１の光伝送システムが適用されるＷＤＭ光通信ネットワークの一例を示す図である。複数のＯＡＤＭ装置１０１がＯＡＤＭノード６０１に収容されることにより、ＯＡＤＭノード６０１において複数の方向にＷＤＭ信号を分岐または挿入して、送受信装置６０２に入出力することで、通信容量の需要に柔軟に対応可能なネットワークを構築できる。例えば、上述したＯＡＤＭ装置１（１０１ａ）は、ＯＡＤＭノード１（６０１ａ）に設けられ、ＯＡＤＭ装置２（１０１ｂ）は、ＯＡＤＭノード６０１（６０１ｂ）に設けられ、これらＯＡＤＭノード１，２（６０１ａ，６０１ｂ）の間が一つの上記ＯＡＤＭ区間Ａに相当する。
【００６８】
図７は、実施の形態１にかかるＯＡＤＭ装置の構成例を示す図である。上述したＯＡＤＭ装置１０１の内部構成例を示す。ＯＡＤＭ装置１０１は、分岐挿入機能部７０１と、増幅機能部７０２を含む。
【００６９】
分岐挿入機能部７０１は、ＷＤＭ信号を波長の異なるチャンネル毎にその方路を指定し、その光レベルのアッテネーション量を制御して適切な光レベルを出力する多入力一出力のＷＳＳ１０２である。ＷＳＳ１０２は、伝送光ファイバ１１０方向に出力する送信側のＷＳＳ１１（１０２ａ）と、伝送光ファイバ１１０方向から入力されたＷＤＭ信号を多方路に出力する受信側のＷＳＳ１２（１０２ｂ）とを含む。ＷＳＳ１１（１０２ａ）は、上述した図１で見ると、ＯＡＤＭ装置１（１０１ａ）側のＷＳＳ１（１０２）に相当し、ＷＳＳ１２（１０２ｂ）は、ＯＡＤＭ装置２（１０１ｂ）側のＷＳＳ２（１０２）に相当する。
【００７０】
ＷＳＳ１１（１０２ａ）に入力される光信号は、ＯＣＭ１０３によりチャンネル毎に光レベルを監視される。ＷＳＳ１１（１０２ａ）の入力の各チャンネルは、スプリッタ７０３ａおよび光カプラ７０４ａを介し、光スイッチ７０５の逐次の光路切り替えにより１チャンネル分ずつＯＣＭ１０３で光レベルが検出される。ＷＳＳ１０２のＷＤＭ信号の出力についても、光スイッチ７０５を介してＯＣＭ１０３で光レベルが検出される。
【００７１】
ＷＳＳ１２（１０２ｂ）に入力されるＷＤＭ信号は、光スイッチ７０５を介してＯＣＭ１０３により光レベルが検出される。ＷＳＳ１２（１０２ｂ）から出力される各チャンネル毎の光レベルもＯＣＭ１０３により監視される。ＷＳＳ１１（１０２ａ）の出力の各チャンネルは、スプリッタ７０３ｂおよび光カプラ７０４ｂを介し、光スイッチ７０５の逐次の光路切り替えにより１チャンネル分ずつＯＣＭ１０３で光レベルが検出される。
【００７２】
なお、ＷＳＳ１１（１０２ａ）の入力ポートに接続するチャンネル毎の光レベルが、同じＯＡＤＭノード６０１内に収容される他のＯＡＤＭ装置１０１の受信側ＷＳＳ１０２や送受信装置６０２などにより所定のレベルに制御されている場合がある。この場合、ＷＳＳ１１（１０２ａ）の入力部におけるチャンネル毎の光レベルは定められているものとして、図７に示すＷＳＳ１１（１０２ａ）の入力部のＯＣＭ１０３によるチャンネル毎の監視機能は省略してもよい。
【００７３】
ここで、ＯＡＤＭ装置１０１で分岐されるＷＤＭ信号をチャンネル毎に光レベル監視および制御するにあたり、ＷＳＳ１０２が指定する各方向（複数チャンネル分）の数に相当する個数のＯＣＭ１０３を備えることが望ましい。しかし、各方向にＯＣＭ１０３を備える構成では自由度が増えるがコスト高となる。装置コストを抑えるため、図７に示すように、分岐挿入機能部７０１では、マルチチャンネルの光スイッチ７０５を備え、ＷＳＳ１０２の方路とＯＣＭ１０３への接続を光スイッチ７０５で切り替えながら、各方路の光レベルをチャンネル毎に逐次監視する。
【００７４】
増幅機能部７０２は、ポストアンプ１０７と、プリアンプ１０８を含む。ポストアンプ１０７は、分岐挿入機能部７０１が合波出力したＷＤＭ信号の光レベルを一括増幅して伝送光ファイバ１１０に出力する後置光増幅器である。プリアンプ１０８は、伝送光ファイバ１１０を透過して減衰したＷＤＭ信号の光レベルを一括増幅する前置光増幅器である。プリアンプ１０８で増幅されたＷＤＭ信号は、ＯＡＤＭノード６０１の分岐挿入機能部７０１により別方向のＯＡＤＭ区間や送受信装置６０２に出力する。
【００７５】
ＷＳＳ１１（１０２ａ）は、伝送光ファイバ１１０に接続するポストアンプ１０７に入力されるＷＤＭ信号のチャンネル毎の信号光レベルを調節する。具体的には開通しないチャンネルのアッテネーションを閉じ、開通するチャンネルのアッテネーションを開き、ポストアンプ１０７に導入する。ＷＳＳ１２（１０２ｂ）は、伝送光ファイバ１１０に接続するプリアンプ１０８から出力されたＷＤＭ信号のチャンネル毎の信号光レベルを調節して、ＯＡＤＭノード６０１内の他のＯＡＤＭ装置１０１または送受信装置６０２に出力する。
【００７６】
（既存技術と実施の形態１との対比）
既存の光伝送システムでは、ＷＤＭ信号の開通にあたり、ＯＡＤＭ装置１（図１の１０１ａ相当）からＯＡＤＭ装置２（１０１ｂ）に至るＷＤＭ信号の波長に対する伝送光レベル偏差特性が明らかでない。このため、信号疎通の開通時には、光伝送路１１０の下流の受信光レベルが過大となって下流の受信装置にダメージを与えないために、開通するＷＤＭ信号のチャンネルの光レベルを徐々に大きくし、緩やかに光レベルを所定のレベルに制御する必要があった。以下の既存技術の説明では、実施の形態１で説明した構成部と同一の構成部は同一の符号を用いて説明する。
【００７７】
図８，図９は、既存の光伝送システムによる開通制御の問題を説明する図である。光伝送システムに配置される複数のＯＡＤＭノード６０１と、各ＯＡＤＭノード６０１部分での光レベル（横軸時間、縦軸光レベル）を示す。光伝送システムでは、光伝送路１１０上に複数のＯＡＤＭノード１〜１０（６０１）が配置され、隣接するＯＡＤＭノード６０１間がそれぞれＯＡＤＭ区間１〜９である。
【００７８】
図８の例では、全てのＯＡＤＭノード６０１がＯＡＤＭ区間１〜９について、同時並行してＷＳＳ１０２のアッテネーション制御を行う開通制御を行った場合を示す。この場合、ＷＤＭ信号の下流ＯＡＤＭノード６０１になるほど光レベルの変動（サージ）が生じる。最も下流側に位置するＯＡＤＭノード９（６０１）では、光レベルの変動が大きく（箇所Ｘ）、収束に相当の時間がかかることが示されている。
【００７９】
図９の例では、ＯＡＤＭ区間の上流のＯＡＤＭノード６０１の開通制御が完了を待って、下流のＯＡＤＭノード６０１の開通制御を実施する逐次開通を行った場合を示す。この場合、ＯＡＤＭノード１〜９（６０１）は、それぞれ各チャンネルの光レベルをＷＳＳ１０２の入出力ポート毎に監視するためチャンネル開通制御周期が長くなる。
【００８０】
図９に示す既存技術の開通制御では、隣接するＯＡＤＭノード６０１（ＯＡＤＭ装置１（１０１ａ）からＯＡＤＭ装置２（１０１ｂ））に至るＷＤＭ信号の波長に対する伝送光レベル偏差特性が明らかでない。このため、ＯＡＤＭ装置１（１０１ａ）のＷＳＳ制御部１０５は、ＷＳＳ１（１０２）からポストアンプ１（１０７）に出力するチャンネルの光レベルのアッテネーション量を徐々に制御して、緩やかに光レベルを所定のレベルに制御していた。例えば、上述したチャンネルｂの開通前のアッテネーション量が３０ｄＢでは、開通にあたり、所定の単位制御量ずつアッテネーション量を制御するステップを繰り返し、アッテネーション量を１０ｄＢになるまで制御している。
【００８１】
このため、下流のＯＡＤＭノードは、直前の上流のＯＡＤＭノード６０１の開通後に開通制御を行うため、下流となるほど開通制御の開始時間が遅れる。そして、複数のＯＡＤＭ区間１〜９を伝送する長距離の光伝送システムとなるほどＷＤＭ信号のチャンネルの開通完了までの時間Ｔｘが累積して長くなる。
【００８２】
図１０は、既存の光伝送システムによる開通制御の問題を説明する図である。図９を用いて説明した既存技術の緩やかなアッテネーション量による開通制御における各部の光レベルの状態を示す。図１０（ａ）はＯＡＤＭ装置１（１０１ａ）のＷＳＳ１（１０２）の出力光レベルであり、異なる時間（１）〜（３）毎の各波長（横軸）−光レベル（縦軸）を示す。ＷＤＭ信号の送信側のＯＡＤＭ装置１（１０１ａ）側では、時間毎に変動する出力光レベルは各波長で同じとなるように制御しても、受信側のＯＡＤＭ装置２（１０１ｂ）では、波長毎の受信光レベルが異なる（変動する）。
【００８３】
図１０（ｂ）はＯＡＤＭ装置１（１０１ａ）のＷＳＳ１（１０２）の各波長ａ〜ｃの時間（横軸）−出力光レベル（縦軸）を示す。図１０（ｃ）はＯＡＤＭ装置２（１０１ｂ）の時間（横軸）−受信光レベル（縦軸）を示す。図１０（ｂ）に示すＯＡＤＭ装置１（１０１ａ）において各波長ａ〜ｃの出力光レベルが同じであっても、図１０（ｃ）に示すように、ＯＡＤＭ装置２（１０１ｂ）では、受信したＷＤＭ信号の波長ａ〜ｃの光レベルが異なっている。
【００８４】
このため、図１０に示すように、ＯＡＤＭ装置２（１０１ｂ）は、到達したＷＤＭ信号の波長毎の伝送光レベルを監視する。そして、ＯＡＤＭ装置１（１０１ａ）は、ＯＡＤＭ装置２（１０１ｂ）との間のＯＡＤＭ区間の伝送光レベル特性を探りながら、ＷＳＳ１（１０２）からポストアンプ１（１０７）に出力するアッテネーション量を緩やかに制御する。このため、上述したように、チャンネルの開通完了までに時間を費やす。
【００８５】
図１１は、実施の形態１の光伝送システムによる開通制御の処理を説明する図である。図１１（ａ）は横軸が波長、縦軸が光レベルである。ある時間（４）におけるＯＡＤＭ装置２（１０１ｂ）で受信したＡＳＥ光の波長ａ〜ｃの光レベルの特性、ＯＡＤＭ装置１（１０１ａ）の各波長の出力光レベルの制御、この後の時間（５）におけるＯＡＤＭ装置２（１０１ｂ）での各波長の受信光レベルを示す。
【００８６】
図１１（ｂ）はＯＡＤＭ装置１（１０１ａ）のＷＳＳ１（１０２）の出力光レベル制御後の各波長ａ〜ｃの時間（横軸）−出力光レベル（縦軸）を示す。ＯＡＤＭ装置１（１０１ａ）は、ＡＳＥ光の伝送光レベル偏差を解消するように各チャンネルａ〜ｃの光レベルを調整して出力する。図１１（ｃ）はＯＡＤＭ装置２（１０１ｂ）の時間（横軸）−受信光レベル（縦軸）を示す。
【００８７】
実施の形態１（図５参照）に示した開通制御によれば、ＯＡＤＭ装置２（１０１ｂ）は、到達したＷＤＭ信号が入っていないチャンネルの波長におけるＡＳＥ光の伝送光レベルを監視する。そして、監視結果であるＯＡＤＭ装置１（１０１ａ）からＯＡＤＭ装置２（１０１ｂ）に至る伝送光レベル特性に基づいて、ＯＡＤＭ装置１（１０１ａ）は、ＷＳＳ１（１０２）からポストアンプ１（１０７）に出力するアッテネーション量を制御する。このような開通制御により、ＷＤＭ信号の開通時にチャンネル毎の伝送光レベル偏差特性に応じた所定のアッテネーション量に速やかに制御でき、ＷＤＭ信号を速やかに開通できるようになる。
【００８８】
また、実施の形態１では、複数のＯＡＤＭノード６０１でＯＡＤＭ区間をクロスコネクトする長距離の光伝送システムであっても、上流側から一区間ずつ逐次開通制御する必要がない。すなわち、実施の形態１では、ＯＡＤＭ装置１０１のＯＡＤＭ区間毎に、ＡＳＥ光の伝送光レベル偏差特性を利用してＷＤＭ信号の伝送光レベル偏差特性を把握する。これにより、上流のＯＡＤＭ装置１０１のＷＳＳ１０２からポストアンプ１０７に出力する光レベルを適切なアッテネーション量に速やかに制御できるようになる。
【００８９】
図１２は、実施の形態１の光伝送システムによる開通制御を説明する図である。光伝送システムに配置される複数のＯＡＤＭノード６０１と、各ＯＡＤＭノード６０１部分での光レベル（横軸時間、縦軸光レベル）を示す。光伝送システムでは、光伝送路１１０上に複数のＯＡＤＭノード１〜１０（６０１）が配置され、隣接するＯＡＤＭノード６０１間がそれぞれＯＡＤＭ区間１〜９である。
【００９０】
実施の形態１の光伝送システムでは、下流のＯＡＤＭノード２〜１０がそれぞれチャンネル毎の光レベルを監視するＯＣＭ１０３（図１参照）を備える。各ＯＡＤＭ区間１〜９では、ＷＤＭ信号を出力する上流のＯＡＤＭノード６０１に向かって、下流のＯＡＤＭノード６０１がＡＳＥ光のレベル偏差情報と、ＷＤＭ信号（伝送光）のレベル偏差情報を含むＯＳＣ信号を送信する。
【００９１】
実施の形態１の開通制御では、それぞれのＯＡＤＭ区間１〜９について、下流のＯＡＤＭノード６０１（ＯＡＤＭ装置１０１ｂ）は、ＷＤＭ信号が入っていないチャンネルの波長におけるＡＳＥ光の伝送光レベルを監視する。そして、ＯＡＤＭ区間毎に伝送光レベル特性を評定して、上流のＯＡＤＭノード６０１（ＯＡＤＭ装置１０１ａ）は、ＷＳＳ１０２に対してＯＡＤＭ区間毎に、チャンネル毎の伝送光レベル偏差特性に基づいたアッテネーション量をＷＤＭ信号の開通前に算出する。そして、上流のＯＡＤＭノード６０１（ＯＡＤＭ装置１０１ａ）は、ＷＤＭ信号の開通時に伝送光レベル偏差特性に応じた所定のアッテネーション量に速やかに制御する。
【００９２】
このように、実施の形態１によれば、各ＯＡＤＭ区間１〜９毎に上流のＯＡＤＭノード６０１（ＯＡＤＭ装置１０１ａ）は、ＡＳＥ光の伝送光レベル特性から把握したＷＤＭ信号の伝送光レベル特性を用いてチャンネルの開通制御を行う。このため、ＷＤＭ信号の伝送光レベル特性を上流のＯＡＤＭ区間から逐次明らかにする逐次開通制御（図９参照）を行う必要がない。そして、各ＯＡＤＭノード６０１（ＯＡＤＭ装置１０１ａ）は、対応するＯＡＤＭ区間１〜９のＷＤＭ信号の伝送光レベル特性に基づき、所定のアッテネーション量となる制御を行うことで速やかにＷＤＭ信号を開通できる。
【００９３】
図１２に示すように、各ＯＡＤＭノード６０１（ＯＡＤＭ装置１０１ａ）が同時に開通制御を行うことができるため、ＯＡＤＭ区間数にかかわらず開通制御の開始時間に遅れは生じない。複数のＯＡＤＭ区間１〜９を伝送する長距離の光伝送システムの場合でも、全てのＯＡＤＭ区間１〜９のＷＤＭ信号のチャンネルの開通完了までの時間Ｔ０は、一つのＯＡＤＭ区間（例えばＯＡＤＭ区間１）相当の時間で済む。
【００９４】
また、ＯＡＤＭ装置１（１０１ａ）のＣＰＵ２０１（ＷＳＳ制御部１０５）は、開通を実施しない未開通のチャンネルについて伝送光ファイバ１１０の方向に出力するＷＳＳ１（１０２）のアッテネーション量を大きくする制御を行っている（図５参照）。これにより、未開通のチャンネルについてＷＳＳ１０２からポストアンプ１０７に出力する経路が遮断される。仮に、図１２の複数のＯＡＤＭノード６０１でクロスコネクトする光伝送システムにおいて、開通を実施しないチャンネルについて、上流ＯＡＤＭ区間で発生したＡＳＥ光が下流ＯＡＤＭ区間に出力される。
【００９５】
この場合、ＯＡＤＭ区間毎にＡＳＥ光の伝送光レベルを測定すると、上流ＯＡＤＭ区間で発生したＡＳＥ光が下流ＯＡＤＭ区間に入力されることにより、下流ＯＡＤＭ区間のＡＳＥ光に上流ＯＡＤＭ区間で生じたＡＳＥ光が累積することになる。この累積により、測定したＡＳＥ光の伝送光レベル偏差特性と、当該ＯＡＤＭ区間のＡＳＥ光の伝送光レベル偏差特性との差が生じ、ＷＤＭ信号の伝送光レベル偏差特性に応じたアッテネーション算出値の誤差により、開通時にＷＤＭ信号の光レベル偏差が生じる。
【００９６】
これに対し、実施の形態１では、開通を実施しないチャンネルについて伝送光ファイバ１１０の方向に出力するＷＳＳ１（１０２）のアッテネーション量を大きくしてＷＳＳ１（１０２）からポストアンプ１０７に出力する経路を遮断している。これにより、上流ＯＡＤＭ区間で発生したＡＳＥ光が下流ＯＡＤＭ区間に出力されることによるＡＳＥ光の累積を防ぐことができる。そして、ＯＡＤＭ区間毎のＡＳＥ光の伝送光レベル偏差特性の測定を精度良く行えるようになる。
【００９７】
（実施の形態２）
図１３は、実施の形態２の光伝送装置を含む光伝送システムの構成例を示す図である。実施の形態１（図１）と同様の構成部には同一の符号を付している。
【００９８】
上述した実施の形態１（図１参照）のＯＡＤＭ装置１０１では、波長選択部として多入力一出力のＷＳＳ１０２を有した。実施の形態２では、図１３に示すように、ＷＳＳ１０２の配置に代えて減衰量が制御可能な一入力一出力の可変光減衰器１３０１を複数配置し、合波器１３０２で合波する構成とした。また、実施の形態１（図１）のＷＳＳ制御部１０５に代えて可変光減衰器１３０１を制御する光減衰器制御部１３０３を備える。ＯＡＤＭ装置２（１０１ｂ）側には、可変光減衰器１３０１の出力を分波する分波器１３０４と、可変光減衰器１３０１の減衰量を制御する光減衰器制御部１３０５を設ける。
【００９９】
図１３に記載した他の構成は実施の形態１（図１）同様であり、開通前制御量算出部１１２は、ＷＤＭ信号が入っていないチャンネルの波長におけるＡＳＥ光の伝送光レベル偏差情報から光減衰器のアッテネーション量を算出する。そして、未開通のチャンネル（上述したチャンネルｂ）の開通にあたり、光減衰器制御部１３０３は開通前制御量算出部１１２が算出したアッテネーション量となるように制御する。
【０１００】
実施の形態２のように、ＷＳＳに代えて複数の可変光減衰器を用いた構成においても、実施の形態１同様にＷＤＭ信号の開通時に伝送光レベル偏差特性に応じた所定のアッテネーション量に速やかに制御することができる。また、ＯＡＤＭ区間数にかかわらず開通制御を速やかに開始でき、ＯＡＤＭ区間数にかかわらず速やかにＷＤＭ信号を開通できるようになる。
【０１０１】
（実施の形態３）
図１４は、実施の形態３の光伝送装置を含む光伝送システムの構成例を示す図である。実施の形態３では、ＯＡＤＭ装置１，２（１０１ａ，１０１ｂ）のＷＳＳ（１０２）の入力部におけるチャンネル毎の入力光強度をＯＣＭ１０３により監視する構成としたものである。ＯＡＤＭ装置１（１０１ａ）のＷＳＳ１（１０２）に入力される各チャンネルの出力の入力部にそれぞれスプリッタ１４０１を設けて入力光監視部としてのＯＣＭ１（１０３）で監視する。ＯＡＤＭ装置２（１０１ｂ）についても同様に、ＷＳＳ２（１０２）に入力される各チャンネルの出力の入力部にスプリッタ１４０１を介してＯＣＭ２（１０３）で監視する。
【０１０２】
これにより、ＯＡＤＭ装置１（１０１ａ）のＷＳＳ１（１０２）に過大な光レベルが入った場合に、ポストアンプ１（１０７）および伝送光ファイバ１１０を透過してＯＡＤＭ装置２（１０１ｂ）に過大な光レベルが伝送されることを抑止できる。そして、受信装置にダメージを与える等の影響を防ぐことができる。
【０１０３】
図１４の構成例において、チャンネルａの開通にあたり、ＯＡＤＭ装置１（１０１ａ）のＷＳＳ１（１０２）の入力における所定の光レベルＰ＿ＩＮ＿ＴＧＴ（ａ）＝−１０ｄＢｍであるとする。また、開通前制御量算出部１１２によるＷＳＳ１（１０２）からポストアンプ１（１０７）に出力するチャンネルａのアッテネーション算出値ＡＴＴ（ａ）＝１１ｄＢであるとする。このとき、ＷＳＳ１（１０２）からポストアンプ１（１０７）に出力するチャンネルａの出力光レベルＰ＿ＯＵＴ（ａ）＝−２１ｄＢｍとなる。
【０１０４】
ここで、ＯＡＤＭ装置１（１０１ａ）のＷＳＳ１（１０２）の入力におけるチャンネルａの入力光レベルが−７ｄＢｍの場合、アッテネーション算出値ＡＴＴ（ａ）＝１１ｄＢとなるようＷＳＳ１（１０２）のアッテネーション量を制御したとする。この場合、ＷＳＳ１（１０２）からポストアンプ１（１０７）に出力するチャンネルａの出力光レベルＰ＿ＯＵＴ（ａ）＝−１８ｄＢｍとなり、下流のＯＡＤＭ装置２（１０１ｂ）に過大な光レベルが伝送される。この過大な光レベルの伝送を抑止するため、ＷＳＳ制御部１０５は、ＷＳＳ１（１０２）のアッテネーション制御値ＡＴＴ＿ＣＯＮＴ（ａ）を、
ＡＴＴ＿ＣＯＮＴ（ａ）＝ＡＴＴ（ａ）＋（Ｐ＿ＩＮ（ａ）−Ｐ＿ＩＮ＿ＴＧＴ（ａ））となるアッテネーション制御を実施する。
【０１０５】
このアッテネーション制御により、ＷＳＳ１（１０２）のアッテネーション量は、ＡＴＴ＿ＣＯＮＴ（ａ）＝１４ｄＢに制御され、ＷＳＳ１（１０２）からポストアンプ１（１０７）に出力するチャンネルａの出力光レベルＰ＿ＯＵＴ（ａ）＝−２１ｄＢｍとなる。
【０１０６】
そして、実施の形態３によれば、入力光強度が所定の強度を超えている時に、入力光強度から所定の強度を減算した強度差を、ＷＳＳ１０２の減衰量に加えるアッテネーション制御を行う。これにより、チャンネル毎、すなわち開通するＷＳＳ１０２のポート毎のアッテネーション量が過大となることを防ぎ最適となるように制御できる。なお、図１４の構成例では、ＷＳＳ１０２を用いる構成としたが、実施の形態２（図１３）のように複数の可変光減衰器１３０１を用いる構成にも適用できる。
【０１０７】
また、ＯＡＤＭ装置１（１０１ａ）のＷＳＳ１（１０２）の入力部におけるチャンネル毎の入力光強度をＯＣＭ１（１０３）で監視している。そして、ＣＰＵ２０１（ＷＳＳ制御部１０５）は、開通を行うチャンネルについて、ＯＡＤＭ装置１（１０１ａ）のＷＳＳ１（１０２）の入力における光強度が所定の強度に満たない場合、チャンネルの開通制御を進めず、開通を実施しないチャンネルと判定する。この際、上述したように、開通制御時、伝送光ファイバの方向に出力するＷＳＳ１（１０２）のアッテネーション量を大きくしてＷＳＳからポストアンプに出力する経路を遮断している（図５参照）。
【０１０８】
これにより、上流ＯＡＤＭ区間で発生したＡＳＥ光が下流ＯＡＤＭ区間に出力されることによるＡＳＥ光の累積を防ぐことができる。そして、ＯＡＤＭ区間毎のＡＳＥ光の伝送光レベル偏差特性の測定を精度良く行えるようになる。
【０１０９】
（実施の形態４）
図１５は、実施の形態４の光伝送装置を含む光伝送システムの構成例を示す図である。実施の形態４は、ＯＡＤＭ装置２（１０１ｂ）にＯＣＭ２（１０３）が監視したＡＳＥ光レベル偏差情報を格納する記憶部１５０１を備える。図１５に記載の他の構成は、実施の形態１（図１参照）と同じである。
【０１１０】
ＷＤＭ信号のチャンネルａを開通すると、ＯＡＤＭ装置２（１０１ｂ）では、ＡＳＥ光が入っていたチャンネルａの波長にＷＤＭ信号が入るため、ＡＳＥ光レベルの監視ができなくなる。このため、ＡＳＥ光レベル監視部１２１ａは、開通前のチャンネルａのＡＳＥ光レベルを記憶部１５０１に保持しておき、未開通の他のチャンネルのＡＳＥ光レベルを含む全チャンネルのＡＳＥ光レベル偏差情報（強度分布）として記憶部１５０１に格納しておく。例えば、開通前の間継続的にあるいは定期的に記憶部１５０１にＡＳＥ光レベル偏差情報を格納しておくことにより、開通時において直近の精度良いＡＳＥ光レベル偏差情報を用いることができる。
【０１１１】
そして、ＯＡＤＭ装置２（１０１ｂ）のＡＳＥ光レベル監視部１２１ａは、ＷＤＭ信号のチャンネルａの開通時に、チャンネルａの波長のＡＳＥ光レベル偏差情報を記憶部１５０１から読み出してＯＡＤＭ装置１（１０１ａ）に送信することができる。
【０１１２】
さらに、ＯＡＤＭ装置２（１０１ｂ）は、さらにＯＡＤＭ装置１からＯＡＤＭ装置２に接続される伝送光ファイバの断線を検出する伝送光ファイバ故障検出部（不図示）を備えてもよい。
【０１１３】
伝送光ファイバ故障検出部は、伝送光ファイバ１（１１０）の断線を検出した時、ＯＡＤＭ装置２（１０１ｂ）のＯＣＭ２（１０３）が監視したチャンネル毎のＡＳＥ光レベル偏差情報を記憶部１５０１に格納する処理を停止する。ＯＡＤＭ装置１（１０１ａ）からＯＡＤＭ装置２（１０１ｂ）に接続される伝送光ファイバ１（１１０）が断線すると、ＯＡＤＭ装置１（１０１ａ）のポストアンプ１（１０７）で発生するＡＳＥ光がＯＡＤＭ装置２（１０１ｂ）に到達する前に遮断される。
【０１１４】
伝送光ファイバ１（１１０）が断線していない場合、ＯＡＤＭ装置２（１０１ｂ）のＯＣＭ２（１０３）が監視するＡＳＥ光レベル偏差特性は、ＯＡＤＭ装置１，２（１０１ａ，１０１ｂ）の光増幅器１０７，１０８で発生するＡＳＥ光を合算した特性となる。しかし、ＯＡＤＭ装置１（１０１ａ）からＯＡＤＭ装置２（１０１ｂ）に接続されていた伝送光ファイバ１（１１０）が断線すると、ＯＡＤＭ装置１（１０１ａ）のポストアンプ１（１０７）にて発生するＡＳＥ光は遮断される。このため、ＯＡＤＭ装置２（１０１ｂ）のプリアンプ２（１０８）で発生するＡＳＥ光のみとなり、断線前と異なるＡＳＥ光レベル偏差特性となる。
【０１１５】
この後、ＯＡＤＭ装置１（１０１ａ）とＯＡＤＭ装置２（１０１ｂ）との間の伝送光ファイバ１（１１０）の断線が解消され再接続されるとＷＤＭ信号が開通できる条件となる。この際、ＯＡＤＭ装置１（１０１ａ）の開通前制御量算出部１１２は、ＯＡＤＭ装置２（１０１ｂ）から通知されたＡＳＥ光レベル偏差情報に基づいて、ＷＳＳ１（１０２）からポストアンプ１０７に出力するアッテネーション制御を行う。
【０１１６】
したがって、ＯＡＤＭ装置２（１０１ｂ）では、伝送光ファイバ故障検出部が伝送光ファイバ１（１１０）の断線を検出した場合、監視中のＡＳＥ光レベル偏差情報を記憶部１５０１に格納する更新処理を停止する。この停止により、記憶部１５０１は、伝送光ファイバ１（１１０）の断線直前のＡＳＥ光レベル偏差情報を保持していることになる。
【０１１７】
そして、伝送光ファイバ故障検出部がＯＡＤＭ装置１，２（１０１ａ，１０１ｂ）間の全ての伝送光ファイバ１（１１０）の断線解消（再接続）を検出することで、ＯＡＤＭ装置１，２（１０１ａ，１０１ｂ）間のＷＤＭ信号が開通できる条件となる。開通条件の成立により、ＯＡＤＭ装置２（１０１ｂ）のＯＣＭ２（１０３）が監視した未開通のチャンネルのＡＳＥ光レベル偏差情報を再度、記憶部１５０１に格納再開する。これにより、再接続後のＯＡＤＭ装置１（１０１ａ）からＯＡＤＭ装置２（１０１ｂ）の伝送光特性に応じたＡＳＥ光レベル偏差情報を記憶部１５０１に更新することができる。
【０１１８】
また、ＯＡＤＭ装置２（１０１ｂ）は、ＯＡＤＭ装置１（１０１ａ）からＯＡＤＭ装置２（１０１ｂ）にＷＤＭ信号を出力するいずれかの光増幅器１０７，１０８の増幅制御の停止（シャットダウン）を検出するシャットダウン検出部を備えてもよい。
【０１１９】
この際、ＯＡＤＭ装置１（１０１ａ）からＯＡＤＭ装置２（１０１ｂ）に送信するＯＳＣ信号１により、ＯＡＤＭ装置１（１０１ａ）のポストアンプ１（１０７）の増幅制御状態がＯＡＤＭ装置２（１０１ｂ）に通知される。ＯＡＤＭ装置２（１０１ｂ）のＡＳＥ光レベル監視部１２１ａは、通知されたポストアンプ１（１０７）とプリアンプ２（１０８）の増幅制御状態に基づいて、ＯＣＭ２（１０３）が監視したチャンネル毎のＡＳＥ光レベル偏差情報を記憶部１５０１に格納する。例えば、増幅制御状態は、例えば、シャットダウンの有無である。
【０１２０】
そして、シャットダウン検出部がポストアンプ１（１０７）またはプリアンプ２（１０８）のシャットダウンを検出したとする。この場合、ＡＳＥ光レベル監視部１２１ａは、ＯＣＭ２（１０３）が監視したチャンネル毎のＡＳＥ光レベル偏差情報を記憶部１５０１に格納する更新処理を停止する。ＯＡＤＭ装置１（１０１ａ）からＯＡＤＭ装置２（１０１ｂ）にＷＤＭ信号を出力するいずれかの光増幅器１０７，１０８がシャットダウンすると、ＯＡＤＭ装置２（１０１ｂ）のＯＣＭ２（１０３）に到達するＡＳＥ光が遮断される。この際、シャットダウン前と異なるＡＳＥ光レベル偏差特性となる。
【０１２１】
そして、シャットダウンから復旧後には、ＯＡＤＭ装置１（１０１ａ）からＯＡＤＭ装置２（１０１ｂ）にＷＤＭ信号を出力する光増幅器１０７，１０８の増幅制御が開始されることにより、ＷＤＭ信号が開通できる条件となる。この開通条件の成立により、ＯＡＤＭ装置１（１０１ａ）の開通前制御量算出部１１２は、ＡＳＥ光レベル偏差情報に基づいて、ＷＳＳ１（１０２）からポストアンプ１（１０７）に出力するアッテネーション制御を行う。
【０１２２】
このため、シャットダウン検出部がＯＡＤＭ区間の光増幅器１０７，１０８のシャットダウンを検出した場合、ＡＳＥ光レベル監視部１２１ａは、監視したＡＳＥ光レベル偏差情報を記憶部１５０１に格納する更新処理を停止する。これにより、記憶部１５０１には、シャットダウン検出直前のＡＳＥ光レベル偏差情報が保持される。
【０１２３】
そして、シャットダウン検出部がＯＡＤＭ装置１（１０１ａ）からＯＡＤＭ装置２（１０１ｂ）に至るＯＡＤＭ区間の全ての光増幅器１０７，１０８の増幅制御の開始を検出したとする。この場合、ＯＡＤＭ装置１（１０１ａ）からＯＡＤＭ装置２（１０１ｂ）に伝送するＷＤＭ信号が開通できる条件となる。そして、ＯＡＤＭ装置２（１０１ｂ）のＡＳＥ光レベル監視部１２１ａは、ＯＣＭ２（１０３）が監視した未開通のチャンネルのＡＳＥ光レベル偏差情報を記憶部１５０１へ格納することを再開する。これにより、記憶部１５０１には、シャットダウン回復後のＯＡＤＭ装置１（１０１ａ）からＯＡＤＭ装置２（１０１ｂ）の伝送光特性に応じたＡＳＥ光レベル偏差情報が更新保持される。
【０１２４】
実施の形態４によれば、開通前のチャンネルのＡＳＥ光レベル偏差情報を記憶部１５０１に更新可能に保持しておくことができ、このチャンネルの開通時にＯＡＤＭ装置１（１０１ａ）で必要なＡＳＥ光レベル偏差情報を送信することができる。また、伝送光ファイバ１１０の断線時やＯＡＤＭ区間の光増幅器であるポストアンプ１（１０７）またはプリアンプ２（１０８）のシャットダウン時には、ＡＳＥ光レベル偏差情報の更新を停止する。これにより、記憶部１５０１が保持するＡＳＥ光レベル偏差情報の精度を維持できる。
【０１２５】
（実施の形態５）
図１６は、実施の形態５の光伝送装置を含む光伝送システムの構成例を示す図である。上述した各実施の形態１〜４では、ＯＡＤＭ装置１（１０１ａ）とＯＡＤＭ装置２（１０１ｂ）から構成される光伝送システムについて説明した。図１６に示すように、ＯＡＤＭ装置１（１０１ａ）とＯＡＤＭ装置２（１０１ｂ）の間にＷＤＭ信号の光パワーを増幅する光増幅器１６０２を備えた中継型光増幅（ＩＬＡ：Ｉｎ−Ｌｉｎｅ  Ａｍｐｌｉｆｉｅｒ）装置１６０１が設置される構成にも適用できる。
【０１２６】
ＩＬＡ装置１６０１は、ＯＡＤＭ装置１，２（１０１ａ，１０１ｂ）間のＯＡＤＭ区間Ａ，ＢにおいてＷＤＭの伝送光を光増幅する。実施の形態５では、ＯＡＤＭ装置２（１０１ｂ）は、ＯＳＣ信号受信部１１１と、ＯＳＣ信号送信部１２２を備えればよい。
【０１２７】
ＯＡＤＭ装置２（１０１ｂ）は、ＯＡＤＭ装置１（１０１ａ）〜ＩＬＡ装置１６０１〜ＯＡＤＭ装置２（１０１ｂ）に至る間の光増幅器１０７，１０８，１６０２のＡＳＥ光レベル偏差情報を求める。そして、ＩＬＡ装置１６０１は、ＯＡＤＭ装置２（１０１ｂ）が送信したＡＳＥ光レベル偏差情報をＯＳＣ信号受信部１１１およびＯＳＣ信号送信部１２２中継し、ＯＡＤＭ装置１（１０１ａ）に送信する。
【０１２８】
このように、ＯＡＤＭ区間にＩＬＡ装置等が設置される光伝送システムにおいても、上述した実施の形態１〜４同様の作用効果を得ることができる。
【０１２９】
（実施の形態６）
上述した実施の形態１〜５のいずれかの光伝送システムにおいて、光増幅器１０７，１０８，（１６０２）で発生するＡＳＥ光の波長に対する光レベル偏差特性が、光増幅器１０７，１０８，（１６０２）の増幅制御に応じて異なる場合に対応する。ＯＡＤＭ装置１（１０１ａ）の開通前制御量算出部１１２は、算出するＷＳＳ１（１０２）からポストアンプ１（１０７）に出力するアッテネーション量に対し、光増幅器１０７，１０８、（１６０２）の増幅制御情報に応じた補正を行う。
【０１３０】
図１７は、実施の形態６の光伝送装置の利得別の光レベル偏差に対応する処理を説明する図表である。図１７（ａ），（ｂ）は、例えば、実施の形態１（図１参照）に示した光伝送システムのＯＡＤＭ装置２（１０１ｂ）のプリアンプ２（１０８）の光増幅制御時の利得ＡでのＷＤＭ信号光レベルとＡＳＥ光レベル（横軸が波長、縦軸が光レベル）である。図１７（ｃ），（ｄ）は、ＯＡＤＭ装置２（１０１ｂ）のプリアンプ１０８の光増幅制御時の利得ＢでのＷＤＭ信号光レベルとＡＳＥ光レベル（横軸が波長、縦軸が光レベル）である。
【０１３１】
例えば、利得Ｂで動作する場合、ＷＤＭ信号光レベルは波長に対して均一な特性を示すのに対し、ＡＳＥ光レベルは、短い波長では光レベルが低く、長い波長では光レベルが大きい特性を示している。
【０１３２】
ＯＡＤＭ装置１（１０１ａ）の開通前制御量算出部１１２は、ＷＳＳ１（１０２）からポストアンプ１（１０７）に出力するチャンネルｂのアッテネーション量を、実施の形態１で説明した式（２）に示したＡＴＴ（ｂ）＝１０ｄＢ＋ΔＰ＿ＡＳＥ（ｂ）×α（ｂ）にしたがい算出する。そして、実施の形態６では、開通前制御量算出部１１２は、光増幅器１０７，１０８の制御情報、例えば利得Ｇによって、ＡＳＥ光の光レベル偏差特性がＷＤＭ信号の光レベル偏差特性に比べて傾斜を示す場合、α（ｂ）を下記式（３）により算出する。
【０１３３】
α（ｂ）＝β×Ｇ×（ｂ／Ｎ）  …（３）
ただし、βは光増幅器によって定まる係数、Ｎは、光伝送システムに収容される最大のチャンネル数を表す。
【０１３４】
これにより、ＯＡＤＭ装置１(１０１ａ）は、光増幅器１０７，１０８，（１６０２）の利得の変化に基づくＡＳＥ光の光レベル偏差特性の変動に対応しＷＳＳ１（１０２）の正確なアッテネーション量を求めることができる。
【０１３５】
図１８は、実施の形態６の光伝送装置の利得別の光レベル偏差に対応した処理による伝送光の光レベルを示す図表である。図１８（ａ）は、ＯＡＤＭ装置２（１０１ｂ）のプリアンプ２（１０８）が利得Ａで動作した場合のＷＤＭ信号の伝送光レベル特性を示し、図１８（ｂ）は、利得Ｂで動作した場合のＷＤＭ信号の伝送光レベル特性を示す。
【０１３６】
ＯＡＤＭ装置２（１０１ｂ）のプリアンプ２（１０８）が利得Ａから利得Ｂに変化して動作する場合に、開通前制御量算出部１１２は、上記式（３）に基づいたアッテネーション量の補正を行う。図１８（ａ），（ｂ）に示すように、利得Ａが利得Ｂに変化した場合においても、ＷＤＭ信号の伝送光レベルを波長に対して平坦化できる。これにより、開通前制御量算出部１１２は、チャンネル毎の伝送光レベル特性に基づいた所定のアッテネーション量となるように制御し、速やかにＷＤＭ信号を開通できるようになる。
【０１３７】
以上の各実施の形態では、光伝送システムの信号開通時、光増幅器のＡＳＥ光を用いて、ＯＡＤＭ区間の下流に配置されたＯＡＤＭ装置２は未開通のチャンネルの波長のＡＳＥ光レベルを測定し、ＡＳＥ光レベル偏差情報を上流のＯＡＤＭ装置１に送信する。これにより、ＯＡＤＭ装置１では、ＡＳＥ光レベル偏差情報に基づき、自装置１が有する光増幅器のチャンネル毎の増幅特性と光パワーの損失特性、すなわちＷＤＭ信号の伝送特性を判断できる。また、およびＯＡＤＭ区間に光中継器等、さらに光増幅器が増設されたばあいにおいても同様に、自装置１が有する光増幅器を含む区間全体のチャンネル毎の増幅特性と光パワーの損失特性、すなわちＷＤＭ信号の伝送特性を判断できる。そして、ＯＡＤＭ装置１は、送信するＷＤＭ信号のアッテネーション量を伝送特性に応じた所定のレベルに制御する。この際、アッテネーション量を速やかに制御してＷＤＭ信号の開通時間を早めることができる。
【０１３８】
また、複数のＯＡＤＭノードの複数のＯＡＤＭ区間をクロスコネクトして長距離伝送する光伝送システムにおいても、ＯＡＤＭ区間毎にＡＳＥ光レベル偏差情報を算出し、上流側のＯＡＤＭ装置が伝送特性に基づいたアッテネーション制御を行う。これにより、既存の複数のＯＡＤＭノードを跨いだチャンネル開通状態通知による逐次開通制御を不要にでき、速やかなＷＤＭ信号の開通を行うことができる。
【０１３９】
なお、本実施の形態で説明した光伝送方法は、例えば、予め用意された制御プログラムを対象機器（光伝送装置）のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１４０】
上述した実施の形態に関し、さらに以下の付記を開示する。
【０１４１】
（付記１）信号光を受信する受信部と、
前記受信した信号光のパワーを減衰させる減衰部と、
前記減衰させた信号光を光増幅する光増幅器と、を有し、
前記減衰部は、前記光増幅器から発生する自然放出光の光レベルの情報に基づく減衰量で、新規に設定される信号光のパワーを減衰させることを特徴とする光伝送装置。
【０１４２】
（付記２）前記減衰部は、
前記光レベルの情報として、隣接する下流の前記光伝送装置が得た波長別の前記自然放出光の光レベルを示す偏差情報を受信し、当該偏差情報と相関がある前記信号光について、開通するチャンネルの前記信号光の減衰量を設定し、開通後に前記減衰量を調整し所定の光レベルまで増加させる制御を行うことを特徴とする付記１に記載の光伝送装置。
【０１４３】
（付記３）前記減衰部は、
前記自然放出光の前記偏差情報として、未開通のチャンネルの前記自然放出光の平均に対する前記光レベルの偏差の値を受信することを特徴とする付記２に記載の光伝送装置。
【０１４４】
（付記４）前記減衰部は、多入力一出力の波長選択スイッチの前記信号光を減衰させることを特徴とする付記１〜３のいずれか一つに記載の光伝送装置。
【０１４５】
（付記５）前記減衰部は、各チャネル毎に設けた可変光減衰器の前記信号光を減衰させることを特徴とする付記１〜３のいずれか一つに記載の光伝送装置。
【０１４６】
（付記６）前記減衰部は、入力される前記信号光の光強度を監視する入力光強度監視部を備え、
前記信号光の光強度が所定の強度を超えている時に、前記信号光の光強度から所定の光強度を減算した強度差を、前記減衰量に加えることを特徴とする付記１〜５のいずれか一つに記載の光伝送装置。
【０１４７】
（付記７）前記減衰部は、
前記入力光強度監視部が監視した前記信号光の光強度が所定の強度に満たない場合、前記光増幅器に出力する経路を遮断し、
前記信号光の光強度が所定の強度を満たした場合に、前記開通制御を実施することを特徴とする付記６に記載の光伝送装置。
【０１４８】
（付記８）前記減衰部は、
未開通のチャンネルの信号光の透過を遮断した状態で前記自然放出光の光レベルの情報に基づき、前記開通するチャンネルの前記信号光の減衰量を設定することを特徴とする付記１〜７のいずれか一つに記載の光伝送装置。
【０１４９】
（付記９）前記減衰部は、
自装置の前記光増幅器と、隣接する下流の前記光伝送装置との間に設けられた光増幅器の増幅制御情報と、前記区間での波長に対する自然放出光の強度分布とに基づく前記信号光の減衰量で、新規に設定される信号光のパワーを減衰させることを特徴とする付記１〜８のいずれか一つに記載の光伝送装置。
【０１５０】
（付記１０）信号光を受信し、光増幅する光増幅器と、
隣接する上流の光伝送装置が有する光増幅器、および上流の前記光伝送装置との区間に設けられる光増幅器が発生する自然放出光の光レベルを検出する光モニタと、
前記光モニタが検出した前記自然放出光の光レベルの情報を上流の光伝送装置に送信する制御部と、
を備えたことを特徴とする光伝送装置。
【０１５１】
（付記１１）前記制御部は、
前記光レベルの情報として、波長別の前記自然放出光の光レベルを示す偏差情報を送信することを特徴とする付記１０に記載の光伝送装置。
【０１５２】
（付記１２）前記制御部は、
前記自然放出光の前記偏差情報として、未開通のチャンネルの前記自然放出光の平均に対する光レベルの偏差の値を算出することを特徴とする付記１１に記載の光伝送装置。
【０１５３】
（付記１３）前記自然放出光の波長に対する強度分布を格納する記憶部を備え、
前記制御部は、開通前の前波長における自然放出光の強度を前記記憶部に格納し、開通時に読み出し、前記偏差情報を求めることを特徴とする付記１０〜１２のいずれか一つに記載の光伝送装置。
【０１５４】
（付記１４）前記区間における前記光伝送路の断線を検出する検出部を備え、
前記制御部は、
前記光伝送路の断線後の復旧時に、光信号が多重化されていない波長の前記自然放出光の強度分布を前記記憶部に更新記憶させることを特徴とする付記１３に記載の光伝送装置。
【０１５５】
（付記１５）前記区間に設けられるいずれかの光増幅器の増幅制御の遮断を検出する検出部を備え、
前記制御部は、
遮断された前記光増幅器の復旧時に、光信号が多重化されていない波長の前記自然放出光の強度分布を前記記憶部に更新記憶させることを特徴とする付記１２または１３に記載の光伝送装置。
【０１５６】
（付記１６）信号光を伝送する光伝送システムにおいて、
光伝送路上に設けられる第１光伝送装置は、
信号光を受信する受信部と
前記受信した信号光のパワーを減衰させる減衰部と、
前記減衰させた信号光を光増幅する光増幅器と、を有し、
前記減衰部は、前記光増幅器から発生する自然放出光の光レベルの情報に基づく減衰量で、新規に設定される信号光のパワーを減衰させ、
前記光伝送路上の信号光の下流に前記第１光伝送装置に隣接して設けられる第２光伝送装置は、
信号光を受信し、光増幅する光増幅器と、
隣接する上流の光伝送装置が有する光増幅器、および上流の前記第１光伝送装置との区間に設けられる光増幅器が発生する自然放出光の光レベルを検出する光モニタと、
前記光モニタが検出した前記自然放出光の光レベルの情報を前記第１光伝送装置に送信する制御部と、を有する、
ことを特徴とする光伝送システム。
【０１５７】
（付記１７）前記区間に、前記信号光の光強度を増幅する光増幅器を有する１つ以上の中継型光増幅装置が設けられたことを特徴とする付記１６に記載の光伝送システム。
【０１５８】
（付記１８）前記中継型光増幅装置は、
前記第２光伝送装置が送信する前記光レベルの情報を前記第１光伝送装置に中継出力することを特徴とする付記１７に記載の光伝送システム。
【０１５９】
（付記１９）前記前記光レベルの情報を光監視チャネルを用いて送信することを特徴とする付記１６〜１８のいずれか一つに記載の光伝送システム。
【０１６０】
（付記２０）受信した信号光のパワーを減衰部で減衰させ、光増幅部で光増幅して送信し、
前記光増幅器から発生する自然放出光の光レベルの情報に基づく減衰量で、新規に設定される信号光のパワーを前記減衰部により減衰させる、
ことを特徴とする光伝送方法。
【符号の説明】
【０１６１】
１０１（１０１ａ，１０１ｂ）  光伝送装置（ＯＡＤＭ装置１，２）
１０２  ＷＳＳ（ＷＳＳ１，２）
１０３  ＯＣＭ（ＯＣＭ１，２）
１０４，１０９  光分岐部
１０５  ＷＳＳ制御部
１０７  ポストアンプ（光増幅器）
１０８  プリアンプ（光増幅器）
１１０  光伝送路（伝送光ファイバ）
１１１  ＯＳＣ信号受信部
１１２  開通前制御量算出部
１２１  ＷＤＭ信号監視部
１２１ａ  ＡＳＥ光レベル監視部
１２２  ＯＳＣ信号送信部
２０１  ＣＰＵ
２０２  メモリ
２０３  拡張メモリ
２０５  通信部
６０１  ＯＡＤＭノード（６０１ａ，６０１ｂ）
６０２  送受信装置
１３０１  可変光減衰器
１３０３, １３０５  光減衰器制御部
１５０１  記憶部
１６０１  ＩＬＡ装置
１６０２  光増幅器
【図１】
2018164198.tif 000004
【図２】
2018164198.tif 000005
【図３】
2018164198.tif 000006
【図４】
2018164198.tif 000007
【図５】
2018164198.tif 000008
【図６】
2018164198.tif 000009
【図７】
2018164198.tif 000010
【図８】
2018164198.tif 000011
【図９】
2018164198.tif 000012
【図１０】
2018164198.tif 000013
【図１１】
2018164198.tif 000014
【図１２】
2018164198.tif 000015
【図１３】
2018164198.tif 000016
【図１４】
2018164198.tif 000017
【図１５】
2018164198.tif 000018
【図１６】
2018164198.tif 000019
【図１７】
2018164198.tif 000020
【図１８】
2018164198.tif 000021